(57)【要約】【課題】設計自由度を有するとともに、小型化、低コスト化を実現できる発光ダイオードを備えた無線タグを提供すること。【解決手段】トランジスタ回路２１１５を介して、送受信アンテナ２２１と、発光ダイオード並列回路２３１とを接続する。この発光ダイオード並列回路２３１は、発光ダイオード２３１１の逆方向に電圧が印加されると発光ダイオード２３１２には順方向の電圧が印加される一方、発光ダイオード２３１２の逆方向に電圧が印加されると発光ダイオード２３１１には順方向の電圧が印加されるように、発光ダイオード２３１１と発光ダイオード２３１２とが並列に接続されている回路である。これにより、送受信アンテナ２２１で生成された受信時交流電圧で、発光ダイオード２３１１、２３１２を発光させることができる。したがって、受信時交流電圧を直流に整流する整流回路を設ける必要がない。【選択図】図５
2010002974.tif 000002
【特許請求の範囲】
【請求項１】
交流送信信号を外部に送信するリーダ／ライタとの間で無線通信を行う無線タグであって、
前記リーダ／ライタから送信された前記交流送信信号を交流受信信号として受信する受信アンテナと、
前記受信アンテナが受信した前記交流受信信号から得られる受信時交流電圧における正の電位成分と負の電位成分の両方が印加されるように、前記受信アンテナに接続され、順方向に所定駆動電圧が印加されたときに発光する一方、逆方向に電圧が印加されたときに発光しない第１の発光ダイオード及び第２の発光ダイオードを有する回路であって、前記第１の発光ダイオードの逆方向に電圧が印加されると前記第２の発光ダイオードには順方向の電圧が印加される一方、前記第２の発光ダイオードの逆方向に電圧が印加されると前記第１の発光ダイオードには順方向の電圧が印加されるように、前記第１の発光ダイオードと前記第２の発光ダイオードとが並列に接続された発光ダイオード並列回路とを備えることを特徴とする無線タグ。
【請求項２】
前記交流送信信号には、ユーザが検索したい無線タグのＩＤコードを示す検索ＩＤコードが含まれており、
前記無線タグは、
記憶ＩＤコードを記憶するＩＤコード記憶手段と、
前記受信アンテナが受信した前記交流受信信号に含まれる前記検索ＩＤコードと前記ＩＤコード記憶手段に記憶されている前記記憶ＩＤコードとが所定の関係を満たすか否かの照合可否判定をする照合可否判定手段と、
前記照合可否判定手段によって照合可となった場合のみ、前記受信アンテナと前記発光ダイオード並列回路とを接続する接続手段とを備えることを特徴とする請求項１に記載の無線タグ。
【請求項３】
前記接続手段は、
前記受信アンテナと前記発光ダイオード並列回路との間に設けられ、電流の導通／遮断を制御するための電流導通信号又は電流遮断信号が入力される制御端子を有する２つのトランジスタを備えた回路であって、前記２つのトランジスタの前記制御端子に前記電流導通信号が入力された場合には、前記受信時交流電圧における正の電位成分と負の電位成分の両方が前記発光ダイオード並列回路に印加されるように、前記２つのトランジスタが接続されたトランジスタ回路と、
前記照合可否判定手段によって照合可と判定された場合、前記２つのトランジスタの前記制御端子に前記電流導通信号を入力する一方、前記照合可否判定手段によって照合否と判定された場合、前記２つのトランジスタの前記制御端子に前記電流遮断信号を入力する信号入力手段とを有することを特徴とする請求項２に記載の無線タグ。
【請求項４】
前記第１の発光ダイオードと前記第２の発光ダイオードは、有機ＥＬであることを特徴とする請求項１〜３のいずれか１項に記載の無線タグ。
【請求項５】
前記第１の発光ダイオードと前記第２の発光ダイオードは、印刷によって前記無線タグ上に形成されたことを特徴とする請求項４に記載の無線タグ。
【発明の詳細な説明】
【技術分野】
【０００１】
本発明は、発光ダイオードを備えた無線タグに関する。
【背景技術】
【０００２】
従来、例えば複数の物品が近接した場所に位置している場合に、その中からユーザが所望する物品を検索するために、各物品に発光ダイオードを備えた無線タグを装着して、リーダ／ライタと各無線タグとの間で無線通信を行って、ユーザが所望する物品に装着された無線タグの発光ダイオードを発光させる技術が提案されている（例えば、特許文献１）。
【０００３】
具体的には、ユーザはリーダ／ライタを用いて、検索したい無線タグのＩＤコードを示す検索ＩＤコードを含む電波（以下、リーダ／ライタから送信される電波を交流送信信号と言う。） を外部に送信して、各無線タグにその交流送信信号を交流受信信号として受信させる。各無線タグには、自身を識別するためのＩＤコードである記憶ＩＤコードが記憶されている。そして、各無線タグは、交流受信信号に含まれている検索ＩＤコードと自身に記憶されている記憶ＩＤコードとが所定の関係を満たしているか否かの照合可否判定を行い、照合可の場合には、自身に備えられている発光ダイオードを発光させ、照合否の場合は発光させない。その結果、ユーザは発光されている無線タグ、すなわち、ユーザが所望する物品を容易に検索することができる。
【特許文献１】特開２００６−２４０１８号公報
【発明の開示】
【発明が解決しようとする課題】
【０００４】
ところで、発光ダイオードは、順方向に所定駆動電圧が印加されたときには発光するが、逆方向に電圧が印加されたときには発光しない。したがって、発光ダイオードを発光させるには、上記交流受信信号から得られる受信時交流電圧を直流電圧に整流しなければならないので、無線タグに整流回路を備える必要がある。そのため、発光ダイオードを備えた無線タグを製作するのに余分な部品とその実装場所が必要であり、無線タグの設計自由度の低下、並びに小型化、低コスト化の阻害要因となっていた。
【０００５】
本発明は以上の問題点に鑑みてなされたものであり、設計自由度を有するとともに、小型化、低コスト化を実現できる発光ダイオードを備えた無線タグを提供することを目的とする。
【課題を解決するための手段】
【０００６】
上記目的を達成するために、請求項１の無線タグは、交流送信信号を外部に送信するリーダ／ライタとの間で無線通信を行う無線タグであって、前記リーダ／ライタから送信された前記交流送信信号を交流受信信号として受信する受信アンテナと、前記受信アンテナが受信した前記交流受信信号から得られる受信時交流電圧における正の電位成分と負の電位成分の両方が印加されるように、前記受信アンテナに接続され、順方向に所定駆動電圧が印加されたときに発光する一方、逆方向に電圧が印加されたときに発光しない第１の発光ダイオード及び第２の発光ダイオードを有する回路であって、前記第１の発光ダイオードの逆方向に電圧が印加されると前記第２の発光ダイオードには順方向の電圧が印加される一方、前記第２の発光ダイオードの逆方向に電圧が印加されると前記第１の発光ダイオードには順方向の電圧が印加されるように、前記第１の発光ダイオードと前記第２の発光ダイオードとが並列に接続された発光ダイオード並列回路とを備えることを特徴とする。
【０００７】
また、請求項２の無線タグは、請求項１に記載の発明の構成に加え、前記交流送信信号には、ユーザが検索したい無線タグのＩＤコードを示す検索ＩＤコードが含まれており、前記無線タグは、記憶ＩＤコードを記憶するＩＤコード記憶手段と、前記受信アンテナが受信した前記交流受信信号に含まれる前記検索ＩＤコードと前記ＩＤコード記憶手段に記憶されている前記記憶ＩＤコードとが所定の関係を満たすか否かの照合可否判定をする照合可否判定手段と、前記照合可否判定手段によって照合可となった場合のみ、前記受信アンテナと前記発光ダイオード並列回路とを接続する接続手段とを備えることを特徴とする。
【０００８】
また、請求項３の無線タグは、請求項２に記載の発明の構成に加え、前記接続手段は、前記受信アンテナと前記発光ダイオード並列回路との間に設けられ、電流の導通／遮断を制御するための電流導通信号又は電流遮断信号が入力される制御端子を有する２つのトランジスタを備えた回路であって、前記２つのトランジスタの前記制御端子に前記電流導通信号が入力された場合には、前記受信時交流電圧における正の電位成分と負の電位成分の両方が前記発光ダイオード並列回路に印加されるように、前記２つのトランジスタが接続されたトランジスタ回路と、前記照合可否判定手段によって照合可と判定された場合、前記２つのトランジスタの前記制御端子に前記電流導通信号を入力する一方、前記照合可否判定手段によって照合否と判定された場合、前記２つのトランジスタの前記制御端子に前記電流遮断信号を入力する信号入力手段とを有することを特徴とする。
【０００９】
また、請求項４の無線タグは、請求項１〜３のいずれかに記載の発明の構成に加え、前記第１の発光ダイオードと前記第２の発光ダイオードは、有機ＥＬであることを特徴とする。
【００１０】
また、請求項５の無線タグは、請求項４に記載の発明の構成に加え、前記第１の発光ダイオードと前記第２の発光ダイオードは、印刷によって前記無線タグ上に形成されたことを特徴とする。
【発明の効果】
【００１１】
請求項１の無線タグによれば、受信アンテナが交流受信信号を受信した場合、その交流受信信号から得られる受信時交流電圧が発光ダイオード並列回路に印加される。この際、受信時交流電圧における正の電位成分で第１の発光ダイオードと第２の発光ダイオードの一方が発光し、負の電位成分で第１の発光ダイオードと第２の発光ダイオードの他方が発光する。すなわち、受信時交流電圧を直流電圧に整流させることなく、第１、第２の発光ダイオードを発光させることができる。したがって、発光ダイオードを備えた無線タグにおいて、整流回路を必要としないので、設計自由度を有するとともに小型化、低コスト化を実現できる。
【００１２】
また、請求項２の無線タグは、請求項１に記載の発明の効果に加え、交流送信信号には、ユーザが検索したい無線タグのＩＤコードを示す検索ＩＤコードが含まれている。そして、照合可否判定手段は、受信アンテナが受信した交流受信信号に含まれる検索ＩＤコードとＩＤコード記憶手段に記憶されている記憶ＩＤコードとが所定の関係を満たすか否かの照合可否判定をする。その結果、照合可となった場合のみ、接続手段は、受信アンテナと発光ダイオード並列回路とを接続する。その結果、第１、第２の発光ダイオードは発光する。なお、照合可否判定手段による照合可否判定の結果、照合否となった場合には、受信アンテナと発光ダイオード並列回路とは接続されない。その結果、第１、第２の発光ダイオードは発光しない。これにより、複数の無線タグの中から、ユーザが所望する無線タグを発見する目的のために本発明の無線タグを使用することができる。
【００１３】
また、請求項３の無線タグは、請求項２に記載の発明の効果に加え、信号入力手段が２つのトランジスタの制御端子に電流導通信号を入力した場合には、受信時交流電圧における正の電位成分は、２つのトランジスタの一方が導通することによって、発光ダイオード並列回路に印加される。一方、受信時交流電圧における負の電位成分も、２つのトランジスタの他方が導通することによって、発光ダイオード並列回路に印加される。また、信号入力手段が２つのトランジスタの制御端子に電流遮断信号を入力した場合には、その２つのトランジスタは遮断して、受信時交流電圧が発光ダイオード並列回路に印加されないので、第１、第２の発光ダイオードは発光しない。このように、２つのトランジスタを用いることによって、簡易に上記接続手段を実現することができる。
【００１４】
また、請求項４の無線タグは、請求項１〜３のいずれか１項に記載の発明の効果に加え、第１の発光ダイオードと第２の発光ダイオードは、有機ＥＬであるので無機物を利用した発光ダイオードに比べて発光効率を向上できる。
【００１５】
また、請求項５の無線タグは、請求項４に記載の発明の効果に加え、印刷によって、無線タグ上に有機ＥＬを形成しているので、低コスト化を図ることができる。
【発明を実施するための最良の形態】
【００１６】
（第１実施形態）
以下、本発明に係る無線タグの第１実施形態について図面を参照して説明する。図１は、本実施形態の無線タグ２０１〜２０９の使用方法の一例を示した図である。同図に示すように、各無線タグ２０１〜２０９は、書籍箱２０に収納されている書籍１０１〜１０９に貼付されている。また、無線タグ２０１〜２０９は、自身を識別するための記憶ＩＤコードが記憶されている。さらに、各無線タグ２０１〜２０９には、発光ダイオードを備えている。一方、リーダ／ライタ１０は、ユーザが所望する書籍１０１〜１０９に貼付されている無線タグ２０１〜２０９を検索するための機器である。そのリーダ／ライタ１０には、ユーザが検索を所望する書籍１０１〜１０９に貼付されている無線タグ２０１〜２０９の記憶ＩＤコードの入力する入力部１１が備えられている。
【００１７】
ユーザは、書籍１０１〜１０９のいずれかを検索したいときには、リーダ／ライタ１０の入力部１１を操作して、検索したい書籍１０１〜１０９に貼付されている無線タグ２０１〜２０９の記憶ＩＤコードに相当する検索ＩＤコードを入力して、送信スイッチを操作すればよい。すると、リーダ／ライタ１０は、ユーザが入力した検索ＩＤコードを含む交流送信信号５０を外部に送信する。各無線タグ２０１〜２０９はその交流送信信号５０を交流受信信号６０として受信する。そして、各無線タグ２０１〜２０９は、交流受信信号６０に含まれている検索ＩＤコードと自身に記憶されている記憶ＩＤコードとが一致するか否かの照合可否判定を実行する。その結果、照合可と判断された場合には、発光ダイオードを発光させ、照合否と判断された場合には、発光ダイオードを発光させない。そして、ユーザは、発光している無線タグ２０１〜２０９、すなわち、ユーザが所望する書籍１０１〜１０９を容易に発見することができる。
【００１８】
次に、リーダ／ライタ１０の構成について説明する。図２は、リーダ／ライタ１０の電気的構成を示したブロック図である。同図に示すように、リーダ／ライタ１０は、入力部１１、制御部１２、表示部１３、電源１４、変調部１５、復調部１６、及び送受信アンテナ１７を備えている。
【００１９】
入力部１１は、上述したように、ユーザが所望する無線タグ２０１〜２０９の記憶ＩＤコードに相当する検索ＩＤコードを入力する入力スイッチと、入力スイッチにて入力した無線タグ２０１〜２０９の検索ＩＤコードを含む交流送信信号を外部に送信するため送信指示信号を入力する送信スイッチを有している。その入力部１１は制御部１２に接続されており、入力部１１から入力された検索ＩＤコードや、送信指示信号は、制御部１２に入力される。
【００２０】
制御部１２は、後述するリーダ／ライタ制御処理を実行する。この制御部１２は、図示しないＣＰＵ、ＲＯＭ、ＲＡＭを有している。ＲＯＭには、上記リーダ／ライタ制御処理を実行するためのプログラムが記憶されており、ＣＰＵは、このＲＯＭに記憶されているプログラムに従って、上記リーダ／ライタ制御処理を実行する。また、ＲＡＭは、リーダ／ライタ制御処理が実行される過程において、情報を一時的に記憶する役割を担っている。なお、リーダ／ライタ制御処理の詳細については、フローチャートを用いて後述する。
【００２１】
表示部１３は、液晶ディスプレイで構成されており、入力部１１から入力された記憶ＩＤコードを表示したり、制御部１２が無線タグ２０１〜２０９からの返信信号を受信したときには、その旨を表示する。なお、表示部１３として、液晶ディスプレイの代わりに、有機ＥＬディスプレイやプラズマディスプレイなどを用いてもよい。
【００２２】
電源１４は、制御部１２に接続されており、図示しないオンオフスイッチを有している。そして、そのオンオフスイッチがユーザによって操作されてオン状態になったときには、制御部１２を駆動させるために、制御部１２に直流の所定電圧を供給している。一方、オンオフスイッチがユーザによって操作されてオフ状態になったときには、電源１４による制御部１２への電圧の供給が停止される。
【００２３】
変調部１５は、制御部１２に接続されており、制御部１２から送信される検索ＩＤコードを外部に送信できる形式である交流送信信号５０に変調して、その交流送信信号５０を出力する。また、変調部１５は送受信アンテナ１７に接続されており、変調部１５から出力された交流送信信号５０は、送受信アンテナ１７から外部に送信される。
【００２４】
復調部１６は、送受信アンテナ１７に接続されており、送受信アンテナ１７が受信した無線タグ２０１〜２０９からの返信信号が入力される。そして、復調部１６は、その返信信号を復調して、復調後の信号を制御部１２に入力する。なお、上記返信信号は、本実施形態では、交流送信信号５０に含まれている検索ＩＤコードと無線タグ２０１〜２０９に記憶されている記憶ＩＤコードとが一致した旨を示す信号である。
【００２５】
次に、無線タグ２０１〜２０９の構成について説明する。なお、無線タグ２０１〜２０９は、それぞれに記憶されている記憶ＩＤコードのみが異なっているので、以下、代表として無線タグ２０１の構成について説明する。
【００２６】
図３は、無線タグ２０１の外観図である。同図に示すように、無線タグ２０１は、長方形上の基板２４１の外周にコイル状の送受信アンテナ２２１が設けられている。その送受信アンテナ２２１にチップ２１１が接続されている。また、基板２４１には、薄膜状の２つの発光ダイオードが並列に接続された発光ダイオード並列回路２３１が設けられている。なお、基板２４１は、ポリエチレンテレフタレート（ＰＥＴ）フィルムであり、発光ダイオード並列回路２３１を構成する２つの発光ダイオードは有機ＥＬである。
【００２７】
図４は、無線タグ２０１の電気的構成を示したブロック図である。同図に示すように、無線タグ２０１は、送受信アンテナ２２１、チップ２１１、及び発光ダイオード並列回路２３１を備えている。送受信アンテナ２２１は、本発明の「受信アンテナ」に相当し、リーダ／ライタ１０から送信された交流送信信号５０を交流受信信号６０として受信する。この送受信アンテナ２２１は、チップ２１１に接続されており、受信した交流受信信号６０をチップ２１１に入力する。また、送受信アンテナ２２１は、チップ２１１から上記返信信号が送信されてきた場合には、その返信信号を外部に送信する。さらに、送受信アンテナ２２１は、電源の役割を担っており、交流受信信号６０から受信時交流電圧を生成している。その受信時交流電圧もチップ２１１に入力される。
【００２８】
チップ２１１は、図４に示すように、記憶部２１１２、復調部２１１３、変調部２１１４、トランジスタ回路２１１５、及びこれらと接続された制御部２１１１を有している。
【００２９】
記憶部２１１２は、本発明の「ＩＤコード記憶手段」に相当し、記憶ＩＤコードを記憶する。復調部２１１３は、送受信アンテナ２２１と接続されており、送受信アンテナ２２１から送信されてきた交流受信信号を復調する。この復調部２１１３は、制御部２１１１と接続されており、復調後の信号を制御部２１１１に入力する。変調部２１１４は、制御部２１１１に接続されており、制御部２１１１から入力される返信信号を外部に送信できる形式に変調して、その変調後の返信信号を出力する。また、変調部２１１４は送受信アンテナ２２１に接続されており、変調部２１１４から出力された返信信号は、送受信アンテナ２２１から外部に送信される。
【００３０】
トランジスタ回路２１１５は、制御部２１１１の指示に基づいて、送受信アンテナ２２１と発光ダイオード並列回路２３１とを接続したり、接続を停止したりする回路である。図５は、トランジスタ回路２１１５の構成の一例を示している。同図に示すように、トランジスタ回路２１１５は、２つの電界効果トランジスタＦＥＴ１、ＦＥＴ２を有している。この電界効果トランジスタＦＥＴ１、ＦＥＴ２はスイッチング素子の役割を担っており、ゲート端子に高レベルの信号である電流導通信号が入力された場合には、ソース−ドレイン間が導通して、ソース−ドレイン間に電流を流すことができる。一方、ゲート端子に低レベルの信号である電流遮断信号が入力された場合には、ソース−ドレイン間は遮断して、ソース−ドレイン間に電流を流すことはできない。
【００３１】
電界効果トランジスタＦＥＴ１、ＦＥＴ２のゲート端子は共に制御部２１１１に接続されている。また、電界効果トランジスタＦＥＴ１のソース端子は送受信アンテナ２２１に接続されており、ドレイン端子は発光ダイオード並列回路２３１に接続されている。一方、電界効果トランジスタＦＥＴ２のソース端子は発光ダイオード並列回路に接続されており、ドレイン端子は送受信アンテナ２２１に接続されている。このように電界効果トランジスタＦＥＴ１、ＦＥＴ２が接続されたトランジスタ回路２１１５において、制御部２１１１から電界効果トランジスタＦＥＴ１、ＦＥＴ２のゲート端子に電流導通信号が入力されると、電界効果トランジスタＦＥＴ１、ＦＥＴ２は共に導通状態となる。この際、送受信アンテナ２２１で生成された受信時交流電圧における正の電位成分は電界効果トランジスタＦＥＴ１を介して発光ダイオード並列回路２３１に印加され、負の電位成分は電界効果トランジスタＦＥＴ２を介して発光ダイオード並列回路２３１に印加される。
【００３２】
なお、送受信アンテナ２２１が交流受信信号を受信しない間は、電界効果トランジスタＦＥＴ１、ＦＥＴ２のゲート端子には低レベル（ゼロ電位）の信号である電流遮断信号が入力されており、そのため、電界効果トランジスタＦＥＴ１、ＦＥＴ２は遮断状態となっている。
【００３３】
制御部２１１１は、送受信アンテナ２２１が生成した受信時交流電圧を受けて、後述する無線タグ制御処理を実行する。この制御部２１１１は、ＣＰＵ２１１１ａ、ＲＯＭ２１１１ｂ、ＲＡＭ２１１１ｃを有している。ＲＯＭ２１１１ｂには、上記無線タグ制御処理を実行するためのプログラムが記憶されており、ＣＰＵ２１１１ａは、このＲＯＭ２１１１ｂに記憶されているプログラムに従って、上記無線タグ制御処理を実行する。また、ＲＡＭ２１１１ｃは、無線タグ制御処理が実行される過程において、情報を一時的に記憶する役割を担っている。
【００３４】
発光ダイオード並列回路２３１は、トランジスタ回路２１１５に接続されており、上述したように２つの発光ダイオードが並列に接続された回路である。図５に発光ダイオード並列回路２３１の詳細について示している。同図に示すように、発光ダイオード並列回路２３１は、発光ダイオード２３１１（本発明の「第１の発光ダイオード」に相当）と発光ダイオード２３１２（本発明の「第２の発光ダイオード」に相当）との並列回路である。発光ダイオード２３１１、２３１２は、順方向に所定駆動電圧が印加されたときに発光する一方、逆方向に電圧が印加されたときに発光しない。また発光ダイオード並列回路２３１は、発光ダイオード２３１１の逆方向に電圧が印加されると発光ダイオード２３１２には順方向の電圧が印加される一方、発光ダイオード２３１２の逆方向に電圧が印加されると発光ダイオード２３１１には順方向の電圧が印加されるように、発光ダイオード２３１１と発光ダイオード２３１２とが並列に接続されている回路である。
【００３５】
次に、発光ダイオード２３１１の製造工程について説明する。なお、発光ダイオード２３１２は発光ダイオード２３１１と同じ方法で製造されるので、発光ダイオード２３１２の製造工程についての説明は省略する。
【００３６】
図６は、発光ダイオード２３１１を基板２４１に設ける工程を説明するための図である。同図に示すように、発光ダイオード２３１１は、アノード端子１、カソード端子２、陽極２３１１ａ、陰極２３１１ｂ、発光層２３１１ｃ、絶縁層２３１１ｄ、及び陰極支持ラミネートフィルム２３１１ｅを有している。このように構成される発光ダイオード２３１１をＰＥＴフィルムである基板２４１に設けるには、アノード端子１として、Ｃｕなどの金属をエッチング若しくはスクリーン印刷する。同様に、カソード端子２として、Ｃｕなどの金属をエッチング若しくはスクリーン印刷する。次いで、陽極２３１１ａとして、ＩＴＯ（Ｉｎｄｉｕｍ  Ｔｉｎ  Ｏｘｉｄｅ）をスクリーン印刷若しくはインクジェット印刷する。次いで、発光層２３１１ｃとして、ＰＰＶ、ＰＦ、ＰＶＫ等をスクリーン印刷若しくはインクジェット印刷する。次いで、絶縁層２３１１ｄをスクリーン印刷若しくはインクジェット印刷によって形成する。陰極２３１１ｂは、陰極支持ラミネートフィルム２３１１ｅに蒸着によって予め形成されている。最後に、この陰極２３１１ｂが形成された陰極支持ラミネートフィルム２３１１ｅを熱により圧着する。なお、陰極２３１１ｂには、Ａｌを用いる。また、陰極支持ラミネートフィルム２３１１ｅには、ＰＥＴなどのプラスチックを用いる。このように、印刷技術を用いることにより、低コストで発光ダイオード２３１１を形成することができる。
【００３７】
なお、チップ２１１と送受信アンテナ２２１は、発光ダイオード２３１１、２３１２を基板２４１に形成してから、基板２４１に設置する。
【００３８】
次に、リーダ／ライタ１０の制御部１２が実行する上記リーダ／ライタ制御処理について、図７のフローチャートに基づいて説明する。このリーダ／ライタ制御処理は、電源１４のオンオフスイッチがオン状態になったときに開始され、それ以降、一定期間おきに実行される。
【００３９】
先ず、ステップＳ１１では、ユーザによって入力部１１が有している入力スイッチが操作されて、検索ＩＤコードが入力されたか否かを判定する。ここで、検索ＩＤコードが入力された場合には、処理をステップＳ１２へ進め、検索ＩＤコードが入力されていない場合には、このフローチャートを抜ける。
【００４０】
ステップＳ１２では、入力部１１が有している送信スイッチが操作されたか否かを判定する。これは、入力部１１から送信指示信号が入力されたか否かで判断する。ここで、入力部１１が有している送信スイッチが操作された場合、処理をステップＳ１３へ進め、入力部１１が有している送信スイッチが操作されていない場合は、再度、本ステップを実行する。
【００４１】
ステップＳ１３では、検索ＩＤコードを外部に送信する。具体的には、検索ＩＤコードを変調部１５に入力する。変調部１５では、入力された検索ＩＤコードを外部に送信できる形式の信号である交流送信信号５０に変調し、その交流送信信号５０を送受信アンテナ１７から外部に送信する。
【００４２】
続くステップＳ１４では、無線タグ２０１〜２０９からの返信信号を受信したか否かを判定する。具体的には、無線タグ２０１〜２０９が返信信号を外部に送信した場合には、その返信信号を送受信アンテナ１７が受信する。そして、送受信アンテナ１７で受信された返信信号は、復調部１６へ入力される。復調部１６へ入力された返信信号は、復調され、その復調後の返信信号が制御部１２に入力される。したがって、制御部１２は、復調部１６から返信信号の入力があるか否かで、無線タグ２０１〜２０９からの返信信号を受信したか否かを判定する。ここで、無線タグ２０１〜２０９からの返信信号を受信した場合は、処理をステップＳ１５へ進め、無線タグ２０１〜２０９からの返信信号を受信していない場合は、このフローチャートを抜ける。この場合、ステップＳ１３において送信した交流送信信号５０を無線タグ２０１〜２０９が受信していないか、受信していたとしても、照合可否判定において、照合否となった場合が考えられる。交流送信信号５０を無線タグ２０１〜２０９が受信していない場合には、もう少し、リーダ／ライタ１０を無線タグ２０１〜２０９に近づけて、交流送信信号５０を送信する必要がある。また、照合可否判定において、照合否となった場合は、他の無線タグが貼付されている書籍に向けて、交流送信信号５０を送信する必要がある。
【００４３】
ステップＳ１５では、ステップＳ１３において送信した交流送信信号５０に含まれている検索ＩＤコードと無線タグ２０１〜２０９に記憶されている記憶ＩＤコードとが一致した旨を表示部１３に表示して報知する。例えば、「照合可となりました」等の表示をする。その後、このフローチャートを終了する。一方、無線タグ２０１〜２０９からの返信信号を受信していない場合（ステップＳ１４否定判定）は、報知されないことになる。
【００４４】
続いて、無線タグ２０１の制御部２１１１が有しているＣＰＵ２１１１ａが実行する上記無線タグ制御処理について、図８のフローチャートに基づいて説明する。このフローチャートは、上記交流受信信号６０を受信したときに開始される。
【００４５】
先ず、ステップＳ２１では、検索ＩＤコードを受信する。具体的には、送受信アンテナ２２１で受信された交流受信信号６０は復調部２１１３に入力される。復調部２１１３では、入力された交流受信信号６０を検索ＩＤコードに復調して、その検索ＩＤコードをＣＰＵ２１１１ａに入力する。
【００４６】
続くステップＳ２２では、入力された検索ＩＤコードと記憶部２１１２に記憶されている記憶ＩＤコードとを照合する。続くステップＳ２３では、ステップＳ２２における照合の結果、検索ＩＤコードと記憶ＩＤコードとが一致していたか否かを判定する。なお、ステップＳ２２及びステップＳ２３は、本発明の「照合可否判定手段」に相当する。ここで、検索ＩＤコードと記憶ＩＤコードとが一致していた場合は、処理をステップＳ２４へ進み、検索ＩＤコードと記憶ＩＤコードとが一致していない場合は、このフローチャートを抜ける。この場合、トランジスタ回路２１１５を構成する電界効果トランジスタＦＥＴ１、ＦＥＴ２のゲート端子には電流遮断信号の入力が維持されたままなので、電界効果トランジスタＦＥＴ１、ＦＥＴ２は遮断状態を維持する。その結果、送受信アンテナ２２１で生成された受信時交流電圧は発光ダイオード並列回路２３１に印加されないので、発光ダイオード２３１１、２３１２は発光しない。
【００４７】
なお、本実施形態では、ステップＳ２３において、検索ＩＤコードと記憶ＩＤコードとが一致しているか否かを判定しているが、検索ＩＤコードと記憶ＩＤコードとが所定の関係を満たしているか否かを判定するようにしてもよい。
【００４８】
ステップＳ２４では、電界効果トランジスタＦＥＴ１、ＦＥＴ２が導通状態となるように、電界効果トランジスタＦＥＴ１、ＦＥＴ２のゲート端子に電流導通信号を入力する。その結果、電界効果トランジスタＦＥＴ１のソース−ドレイン間及び電界効果トランジスタＦＥＴ２のソース−ドレイン間が導通して、送受信アンテナ２２１で生成された受信時交流電圧が発光ダイオード並列回路２３１に印加される。すると、受信時交流電圧における正の電位成分によって、電界効果トランジスタＦＥＴ１を介して、発光ダイオード２３１１の順方向に電圧が印加される。そして、その電圧が発光ダイオード２３１１の駆動電圧以上であれば、発光ダイオード２３１１は発光する。一方、受信時交流電圧における負の電位成分によって、電界効果トランジスタＦＥＴ２を介して、発光ダイオード２３１２の順方向に電圧が印加される。そして、その電圧が発光ダイオード２３１２の駆動電圧以上であれば、発光ダイオード２３１２は発光する。これにより、ユーザは、発光ダイオード２３１１、２３１２が発光しているのを視認すると、自身が検索している書籍１０１を書籍箱２０の中から発見することができる。
【００４９】
なお、ステップＳ２４を実行するＣＰＵ２１１１ａとトランジスタ回路２１１５の構成は、本発明の「接続手段」に相当する。また、ステップＳ２４及びステップＳ２３否定判定するＣＰＵ２１１１ａは、本発明の「信号入力手段」に相当する。
【００５０】
続くステップＳ２５では、検索ＩＤコードと記憶ＩＤコードとが一致した旨を示す返信信号を外部に送信する。具体的には、その返信信号を変調部２１１４に入力する。変調部２１１４は、入力された返信信号を外部に送信可能な形式に変調して、その変調後の返信信号を送受信アンテナ２２１から外部に送信する。その後、この返信信号を受信したリーダ／ライタ１０は、上述したように、表示部１３に、例えば、「照合可となりました」等の表示をする。そして、このフローチャートを終了する。
【００５１】
以上、本実施形態の無線タグ２０１では、リーダ／ライタ１０から送信された検索ＩＤコードを含む交流送信信号５０を交流受信信号６０として受信する。そして、その交流受信信号６０に含まれている検索ＩＤコードと記憶部２１１２に記憶されている記憶ＩＤコードとが一致するか否かの照合可否判定を実行する。その結果、照合可となった場合には、電界効果トランジスタＦＥＴ１、ＦＥＴ２を導通状態にして、送受信アンテナ２２１で生成された受信時交流電圧を発光ダイオード並列回路２３１に印加させる。そして、発光ダイオード２３１１、２３１２を発光させる。これに対し、照合否となった場合には、電界効果トランジスタＦＥＴ１、ＦＥＴ２を導通状態にさせないで、送受信アンテナ２２１で生成された受信時交流電圧を発光ダイオード並列回路２３１に印加させない。そして、発光ダイオード２３１１、２３１２を発光させない。これにより、無線タグ２０１〜２０９が貼付されている書籍１０１〜１０９の中から、ユーザが所望する書籍１０１〜１０９を発見することができる。
【００５２】
また、無線タグ２０１は、発光ダイオード２３１１の逆方向に電圧が印加されると発光ダイオード２３１２には順方向の電圧が印加される一方、発光ダイオード２３１２の逆方向に電圧が印加されると発光ダイオード２３１１には順方向の電圧が印加されるように、２つの発光ダイオード２３１１、２３１２とが並列に接続された発光ダイオード並列回路２３１を備えている。これにより、送受信アンテナ２２１で生成された受信時交流電圧を直流に整流させる必要なく、その受信時交流電圧で発光ダイオード２３１１、２３１２を発光させることができる。したがって、整流回路を必要としないので、無線タグ２０１の設計自由度を有するとともに小型化、低コスト化を実現できる。
【００５３】
また、発光ダイオード２３１１、２３１２は有機ＥＬであるので、無機物を利用した発光ダイオードに比べて発光効率を向上できる。さらに、発光ダイオード２３１１、２３１２を、印刷によって、基板２４１に形成しているので、低コスト化を図ることができる。
【００５４】
（変形例）
上記第１実施形態では、２つの電界効果トランジスタＦＥＴ１、ＦＥＴ２でトランジスタ回路２１１５を構成していた。このように、２つの電界効果トランジスタＦＥＴ１、ＦＥＴ２を用いていたのは、電界効果トランジスタＦＥＴ１、ＦＥＴ２は、ソースからドレインに向けて電流を流すが、ドレインからソースに向けては電流が流れないためである。すなわち、受信時交流電圧における正の電位成分と負の電位成分の両方を発光ダイオード回路２３１に印加させるためである。このような観点から、将来的に、両方向に電流を流すトランジスタが開発されれば、図９に示すように、トランジスタ回路２１１５に代えて、両方向に電流を流す電界効果トランジスタＦＥＴ３を送受信アンテナ２２１と発光ダイオード並列回路２３１との間に接続してもよい。こうすることにより、部品点数を減らすことができる。
【００５５】
（第２実施形態）
上記第１実施形態では、無線タグ２０１〜２０９を書籍１０１〜１０９に貼付して、ユーザはリーダ／ライタ１０を用いて、所望の書籍１０１〜１０９を検索するために無線タグ２０１〜２０９を使用していたが、本実施形態でが、検索の目的ではなく、位置把握の目的で無線タグを使用している。
【００５６】
図１０は、本実施形態の無線タグ２７１、リーダ／ライタ７０及びサーバ８０を備える無線タグシステムを説明するための図である。同図に示すように、リーダ／ライタ７０は複数の地点に設置される。また、各リーダ／ライタ７０は、サーバ８０に有線で接続されている。一方、無線タグ２７１は、ユーザに所持されている。なお、リーダ／ライタ７０の構成はリーダ／ライタ１０と同じであるが、図示しない制御部が実行する処理は、制御部１２が実行する処理と異なっている。また、無線タグ２７１の構成は、無線タグ２０１〜２０９と同じであるが、図示しない制御部が実行する処理は、制御部２１１１が実行する処理と異なっている。したがって、リーダ／ライタ７０の構成、及び、無線タグ２７１の構成の説明を省略して、リーダ／ライタ７０が実行する処理、無線タグ２７１が実行する処理、及びサーバ８０が実行する処理について、簡単に説明する。
【００５７】
各リーダ／ライタ７０は、定期的に無線タグ２７１を呼び出すための交流送信信号５１を外部に送信するようにする。一方、無線タグ２７１は、リーダ／ライタ７０の近くにあるときには、交流送信信号５１を交流受信信号６１として受信し、その後、リーダ／ライタ７０に記憶ＩＤコードを送信する。そして、リーダ／ライタ７０は、その記憶ＩＤコードを受信して、サーバ８０に送信する。サーバ８０は、リーダ／ライタ７０から送信されてきた記憶ＩＤコードを、リーダ／ライタ７０が設置されている地点に関する情報（名称、住所等）、及び現在の時刻に関連付けて記憶しておく。また、サーバ８０には、無線タグ２７１を所持するユーザに関する情報（氏名、年齢、住所等）を無線タグ２７１に記憶されている記憶ＩＤコードを関連付けて記憶されている。なお、図１０では、Ａ地点に無線タグ２７１を所持しているユーザが居る状態を示している。
【００５８】
これにより、サーバ８０は、どの人がいつどこに居たのかを、把握することができる。この際、無線タグ２７１は、リーダ／ライタ７０によって記憶ＩＤコードが読み出されたときに、自身に備えられている発光ダイオード２３１を発光させるようにする。これにより、無線タグ２７１を所持しているユーザは、リーダ／ライタ７０によって、記憶ＩＤコードが読み出されたことを把握することができる。
【図面の簡単な説明】
【００５９】
【図１】無線タグ２０１〜２０９の使用方法の一例を示した図である。
【図２】リーダ／ライタ１０の電気的構成を示したブロック図である。
【図３】無線タグ２０１の外観図である。
【図４】無線タグ２０１の電気的構成を示したブロック図である。
【図５】トランジスタ回路２１１５の構成と発光ダイオード並列回路２３１の構成を説明するための図である。
【図６】発光ダイオード２３１１を基板２４１に設ける工程を説明するための図である。
【図７】リーダ／ライタ１０の制御部１２が実行するリーダ／ライタ制御処理を示したフローチャートである。
【図８】ＣＰＵ２１１１ａが実行する無線タグ制御処理を示したフローチャートである。
【図９】両方向に電流を流すトランジスタＦＥＴ３を送受信アンテナ２２１と発光ダイオード並列回路２３１との間に接続した状態を示した図である。
【図１０】第２実施形態における、無線タグ２７１、リーダ／ライタ７０及びサーバ８０を備える無線タグシステムを説明するための図である。
【符号の説明】
【００６０】
１０、７０・・・リーダ／ライタ
５０、５１・・・交流送信信号
６０、６１・・・交流受信信号
２０１〜２０９、２７１・・・無線タグ
２２１・・・送受信アンテナ（受信アンテナ）
２３１・・・発光ダイオード並列回路
２３１１・・・発光ダイオード（第１の発光ダイオード、有機ＥＬ）
２３１２・・・発光ダイオード（第２の発光ダイオード、有機ＥＬ）
２１１２・・・記憶部（ＩＤコード記憶手段）
２１１５・・・トランジスタ回路
２１１１ａ・・・ＣＰＵ
ＦＥＴ１、ＦＥＴ２、ＦＥＴ３・・・電界効果トランジスタ
【図１】
2010002974.tif 000003
【図２】
2010002974.tif 000004
【図３】
2010002974.tif 000005
【図４】
2010002974.tif 000006
【図５】
2010002974.tif 000007
【図６】
2010002974.tif 000008
【図７】
2010002974.tif 000009
【図８】
2010002974.tif 000010
【図９】
2010002974.tif 000011
【図１０】
2010002974.tif 000012